(57)【要約】【課題】本発明は管理コンピュータのモニタに表示される管理画面の操作性を改善することを課題とする。【解決手段】燃料供給システム１０は、複数の燃料供給機１６（１６１〜１６ｎ）と、管理コンピュータ２０とを有する。管理コンピュータ２０は、タッチパネルディスプレイ２０ａに各燃料供給機１６（１６１〜１６ｎ）の動作状態を表示している。管理コンピュータ２０は、給液ポイント８８１〜８８１０の何れかから給液要求信号が出力されると、管理画面８４の対応する給液ポイントをハイライト表示及び監視モニタ３６の拡大表示する。これにより、係員は、許可待ち状態を容易に確認できると共に、許可釦９８をオンに操作するだけで当該給液ポイントに対して給液許可を出力する。顧客の待ち時間を短縮することが可能になる。【選択図】    図１
2004269018.tif 000002
【特許請求の範囲】
【請求項１】
被供給体に対して燃料を供給するのに先立ち許可待ち信号を出力すると共に、許可信号の入力に基づき当該被供給体に対して燃料の供給が可能となる複数の燃料供給機と、
前記複数の燃料供給機の夫々の状態を表示するタッチパネルディスプレイと、前記複数の燃料供給機のうち前記許可待ち信号を出力した燃料供給機に対して許可信号を出力するための許可釦と、前記燃料供給機より許可待ち信号を入力した場合には当該燃料供給機が許可待ち状態であることを前記タッチパネルディスプレイに表示されている当該燃料供給機の表示に対応させて表示させる許可待ち表示制御手段とを有する燃料供給機制御手段と、
からなる燃料供給システムにおいて、
前記燃料供給機制御手段は、
前記許可待ちの燃料供給機のうち一の燃料供給機のみを選択状態とし、当該一の燃料供給機が選択状態であることを、前記タッチパネルディスプレイに表示されている当該一の燃料供給機に対応させて表示させる選択表示制御手段と、
前記許可釦が操作された場合には、前記選択表示制御手段により選択された燃料供給機に対して許可信号を出力する許可信号出力手段と、
を有することを特徴とする燃料供給システム。
【請求項２】
前記選択表示制御手段は、前記タッチパネルディスプレイに表示された許可待ち状態である複数の燃料供給機のうち、一の燃料供給機の表示個所が操作されたことを検出した場合には、当該操作された燃料供給機のみを選択状態とすることを特徴とする請求項１記載の燃料供給システム。
【請求項３】
前記複数の燃料供給機のそれぞれの周囲の状況を撮影するためのカメラと、
前記タッチパネルディスプレイ近傍に設けられ、前記カメラにより撮影された映像を表示するための監視モニタと、
前記複数の燃料供給機のうち、前記選択状態となっている燃料供給機のみの周囲の状況を前記監視モニタに表示させる監視モニタ表示制御手段と、
を設けたことを特徴とする請求項１または請求項２に記載の燃料供給システム。
【発明の詳細な説明】
【０００１】
【発明の属する技術分野】
本発明は燃料供給システムに係り、特にセルフサービス方式の燃料供給機を用いて車両の燃料タンクに燃料を供給するよう構成した燃料供給システムに関する。
【０００２】
【従来の技術】
例えば、ガソリンや軽油等の油液を車両の燃料タンクに供給する燃料供給システムを例に挙げて以下説明する。
【０００３】
例えば、セルフサービス方式の計量機（燃料供給機）が設置された給液所等では、運転者自身が給液作業の設定、給液作業、給液料金の精算を行うようになっている（例えば、特許文献１参照）。
【０００４】
セルフサービス方式の場合、運転者は、まず自動支払機の紙幣挿入部に紙幣（１万円札、５千円札等）を挿入し、入金された金額が紙幣リーダにより読み取られて表示部に入金金額が表示された後、所望の油種（レギュラー、ハイオク、軽油等）を入力し、所望の給液量（１０リットル、２０リットル等）または給液金額（２千円、３千円等）を入力することで、当該計量機が給液許可待ち状態になる。
【０００５】
上記のように設定器で油種選択及び紙幣の投入が行われて給液ノズルが燃料タンクの給液口に挿入されると、給液所の管理コンピュータ（セルフコンソールと呼ばれている）に給液要求信号（許可待ち信号）が送信される。
【０００６】
一方、管理コンピュータのタッチパネルディスプレイでは、複数の計量機の動作状態が一覧で表示されており、各計量機の現在の動作状態が待機状態か、給液中か、あるいは許可待ち状態なのかを表示している。そして、計量機から給液要求が出力されると、監視モニタに監視カメラの画像が表示される。
【０００７】
給液所の係員は、管理コンピュータに計量機から送信された給液要求が表示されると、当該計量機の状況を監視カメラの画像で確認し、給液許可釦をオンに操作する。これにより、給液許可待ちの計量機に給液許可信号が送信され、当該計量機での給液が可能になる。
【０００８】
この燃料供給システムでは、計量機からの給液要求信号が管理コンピュータで受信されると、監視モニタに監視カメラの画像が表示される。そして、給液所の係員は、管理コンピュータのタッチパネルディスプレイに表示された監視カメラの画像を見て給液許可待ちになった当該計量機の状況を確認してから管理コンピュータの該当個所を選択し、表示された給液許可釦を操作する。
【０００９】
上記のような燃料供給システムでは、複数の計量機からの給液要求信号が管理コンピュータで受信されると監視モニタに表示される画像がどこの計量機が表示されているかが解り辛いという問題があった。
【００１０】
そのため、給液所の係員は、複数の計量機から同時に給液要求信号が送信された場合、表示されていない給液許可待ちの計量機の状態を把握できず、２番目以降の計量機に対する給液許可信号の送信が遅れてしまい、給液所の給液効率が低下するおそれがあった。また、複数の計量機から給液要求信号が出力されているのに１番目の計量機で何らかの問題があると、１番目の計量機に対して許可信号を出力できず、１番目の計量機で問題が解消されるまで、２番目以降の計量機への許可信号を出力するのが遅れてしまう。
【００１１】
また、給液所に設置されている全ての計量機の動作状況と許可釦・停止釦を管理コンピュータのタッチパネルディスプレイに表示し、当該表示領域を押圧して給液許可待ちの計量機を指定することにより、当該計量機に対して給液許可する方式もあるが、計量機が多数存在する場合には、１台の計量機の状況を表示するための表示スペースが小さくなるので、任意の計量機の給液許可釦を押圧する際に誤って隣に表示された釦を誤操作してしまうおそれがあった。
【００１２】
このような問題を解消するため、給液許可釦を計量機の状態を表示する領域とは、別の専用表示領域に表示させ、且つ給液要求信号を出力した計量機の表示領域を他の領域と異なる色で表示して当該計量機が給液要求中であり、許可待ち状態であることを報知する表示方法が考えられている。
【００１３】
この表示方法では、給液許可釦が計量機の動作状態を表示する領域とは別の領域に表示されているので、計量機の設置数に関係なく、操作しやすい大きさに表示することができ、誤って隣に表示された釦を操作してしまうおそれがない。
【００１４】
【特許文献１】
特開平９−１４２５８７号公報
【００１５】
【発明が解決しようとする課題】
しかしながら、上記燃料供給システムの表示方法では、給液許可釦が専用の表示領域に表示されるため、複数の計量機から殆ど同時に給液要求信号が出力された場合、複数の計量機の状況を同時に監視カメラの画像によって確認することは難しい。
【００１６】
そのため、複数の計量機から殆ど同時に給液要求信号が出力された場合には、安全性を確保するために、複数の計量機の中から給液許可を与える一の計量機を指定し、その後、指定した計量機の状況を監視カメラの画像で確認し、給液許可釦を操作して許可信号を出力することになる。
【００１７】
ところが、この表示方法においては、１台の計量機から給液要求信号が出力されている場合でも、複数の計量機から給液要求信号が出力された場合と同様に、係員がその計量機の状態表示領域を操作して計量機を選択してから給液許可釦を操作して許可信号を出力することになる。
【００１８】
従って、上記表示方法を採用した燃料供給システムでは、１台の計量機から給液要求信号が出力されている場合は、敢えて計量機を選択する必要がないのに、計量機を選択するための操作を行うことになるので、その分計量機に対して許可信号を出力することが遅れるという問題があった。
【００１９】
そこで、本発明は上記課題を解決した燃料供給システムを提供することを目的とする。
【００２０】
【課題を解決するための手段】
本発明は上記課題を解決するため、以下のような特徴を有する。
上記請求項１記載の発明は、燃料供給機制御手段が、許可待ちの燃料供給機のうち一の燃料供給機のみを選択状態とし、当該一の燃料供給機が選択状態であることを、タッチパネルディスプレイに表示されている当該一の燃料供給機に対応させて表示させる選択表示制御手段と、許可釦が操作された場合には、選択表示制御手段により選択された燃料供給機に対して許可信号を出力する許可信号出力手段と、を有するものであり、複数の燃料供給機から給液要求信号が出力されている場合でも一の燃料供給機の表示のみが許可信号を受け取ることが可能になり、燃料供給機を１台ずつ安全確認してから許可信号を出力することができ、且つ１台の燃料供給機から給液要求信号が出力されている場合には、当該燃料供給機が選択されているので、許可釦を操作するだけで当該燃料供給機に対して許可信号を出力することができ、許可待ち時間を短縮して給液作業を速やかに行える。
【００２１】
上記請求項２記載の発明は、選択表示制御手段が、タッチパネルディスプレイに表示された許可待ち状態である複数の燃料供給機のうち、一の燃料供給機の表示個所が操作されたことを検出した場合には、当該操作された燃料供給機のみを選択状態とするものであり、手動操作によって任意の燃料供給機を指定することが可能になり、安全確認できた燃料供給機から順番に一台ずつ、許可信号を出力することで、安全性を確保すると共に、許可待ち時間を短縮して給液作業を速やかに行える。
【００２２】
上記請求項３記載の発明は、複数の燃料供給機のそれぞれの周囲の状況を撮影するためのカメラと、タッチパネルディスプレイ近傍に設けられ、カメラにより撮影された映像を表示するための監視モニタと、複数の燃料供給機のうち、選択状態となっている燃料供給機のみの周囲の状況を監視モニタに表示させる監視モニタ表示制御手段と、を設けたものであり、複数の燃料供給機のうち選択状態である燃料供給機のみが監視モニタに表示されるので、従来のように選択状態である燃料供給機と監視モニタに表示された燃料供給機の周囲の状態との一致性を判断することなく、安全確認を容易に行うことができる。
【００２３】
【発明の実施の形態】
以下、図面と共に本発明の実施の形態について説明する。
図１は本発明になる燃料供給システムの一実施例の構成図である。
図１に示されるように、燃料供給システム１０は、給液エリア１２に設置された釣り銭機１４と、複数の燃料供給機１６（１６１〜１６ｎ）と、事務所１８内に設置された管理コンピュータ（燃料供給機制御手段）２０とを有する。管理コンピュータ２０は、液晶モニタからなるタッチパネルディスプレイ２０ａに各燃料供給機１６（１６１〜１６ｎ）の動作状態を表示している。
【００２４】
管理コンピュータ２０の記憶装置２２には、許可待ちの燃料供給機１６のうち、一の燃料供給機１６のみを選択状態とし、当該一の燃料供給機１６が選択状態であることをタッチパネルディスプレイ２０ａに表示されている当該一の燃料供給機１６に対応させて表示させる制御プログラム（選択表示制御手段）と、許可釦が操作された場合には、選択された燃料供給機１６に対して許可信号を出力する制御プログラム（許可信号出力手段）と、が格納されている。
【００２５】
燃料供給機１６は、セルフサービス給液方式の計量機２４と、計量機２４に搭載された設定器２６と、料金をその場で精算するための自動支払機（入金機）２８とを有する。また、釣り銭機１４及び複数の燃料供給機１６（１６１〜１６ｎ）は、通信回線（例えば、ＳＳ−ＬＡＮ）３０を介して管理コンピュータ２０と接続されている。
【００２６】
また、給液エリア１２には、燃料供給機１６（１６１〜１６ｎ）の周辺を監視するための監視カメラ３２１〜３２ｎが設けられている。監視カメラ３２１〜３２ｎは、カメラ分割ユニット３４に接続されており、監視カメラ３２１〜３２ｎにより撮像された画像はカメラ分割ユニット３４を介して監視モニタ３６に転送される。監視モニタ３６は、監視カメラ３２１〜３２ｎにより撮像された複数の画像を同時に分割表示する。
【００２７】
また、カメラ分割ユニット３４は、後述するように管理コンピュータ２０からハイライト表示している燃料供給機１６を示す信号（表示指示信号）が入力されると、当該燃料供給機１６を監視する監視カメラ３２からの画像を監視モニタ３６に拡大表示する。これにより、給液所の係員は、監視モニタ３６に表示された当該燃料供給機１６の周囲の状態が異常ないことを確認して給油許可を出力するための許可釦を操作する。監視モニタ３６は、給油許可が出力されると、分割表示に戻る。
【００２８】
図２は燃料供給機１６の正面図である。
図２に示されるように、燃料供給機１６は、セルフサービス方式の計量機２４からなり、操作部３８と、操作部３８の両側に起立する支柱４０，４２と、上部に横架されたホース支持部４４とを有する。
【００２９】
計量機２４の内部には、後述する各給液系統の電磁弁と、給液ポンプと、流量計などの各機器が設けられている。
【００３０】
操作部３８には、静電気除去シート４６と、静電気除去シート４６の右側に配置された設定器２６と、自動支払機２８と、インタホン４８とが設けられている。設定器２６は、液晶モニタなどからなるタッチパネルディスプレイ４９を有し、ディスプレイタッチパネル４９に表示された設定入力画面に触れることで液種（軽油、レギュラーガソリン、ハイオクガソリン）を選択、給液量の入力操作などを行える。また、設定器２６の上方に配置されて人検知センサ５０が設けられており、人検知センサ５０がオンになると、顧客が設定器２６の前にいるものと判断して、設定器２６に設定入力画面が表示される。
【００３１】
また、タッチパネルディスプレイ４９は、設定器２６と流量表示器とを兼ねている。すなわち、給液開始前のタッチパネルディスプレイ４９は、設定器２６の設定操作部として機能すると共に、設定終了後のタッチパネルディスプレイ４９は、給液量を表示する給液量表示器として機能するように設けられている。
【００３２】
また、人検知センサ５０としては、例えば、光センサあるいはイメージセンサなどを用いたものであり、給液操作を行う操作者が設定器２６の前に立ったことを検知してその検知信号を出力する。
【００３３】
自動支払機２８は、紙幣挿入部５２と、カード挿入部５４と、レシート発行部５６とを有する。紙幣挿入部５２は、挿入された紙幣の種別（千円札、２千円札、５千円札、一万円札）を鑑別する鑑別機能を有しており、顧客が挿入した紙幣の金額を設定器２６に表示させる。
【００３４】
カード挿入部５４は、給液所が発行したプリペイドカード、あるいはクレジットカードを挿入されると、カードに記憶された情報を読み取り、給液が可能かどうかを設定器２６に表示させる。
【００３５】
レシート発行部５６は、給液が終了すると、液種、給液量、給液金額、消費税、合計金額などの給液情報を記載したレシートを発行する。
【００３６】
また、計量機２４の前面パネル５８には、給液ノズル６０を掛止するノズル掛け６２が３箇所に設けられている。給液ノズル６０は、ホース支持部４４から吊り下げられた給液ホース６４が連通接続されている。
【００３７】
顧客が設定器２６により液種及び給液量または給液金額を設定した後、給液ノズル６０をノズル掛け６２から取り上げると、
図３は燃料供給機１６の各機器の構成を示すブロック図である。
図３に示されるように、燃料供給機１６の制御回路６６には、各給液経路に設けられた電磁弁６８、給液ポンプ７０、流量計７２、メモリ８０、人検知センサ５０、ノズル掛け６２に設けられたノズルスイッチ７４、自動支払機２８に設けられた紙幣鑑別部７６、設定器２６、カード挿入部５２に設けられたカードＲ／Ｗ７８、インタホン４８、レシート発行部５６に設けられたプリンタ８２と接続されている。
【００３８】
ここで、燃料供給機１６（１６１〜１６ｎ）の動作状態を表示するためのタッチパネルディスプレイ２０ａに表示される表示例について説明する。
【００３９】
図４はタッチパネルディスプレイ２０ａに表示される画面の一例を示す図である。
図４に示されるように、タッチパネルディスプレイ２０ａの表示される管理画面８４には、４台の燃料供給機１６を模式的に示す計量機マーク８６１〜８６４と、示す計量機マーク８６１〜８６４の左右両側に表示される給液ポイント８８１〜８８８と、灯油用給液ポイント８８９，８８１０とが表示される。
【００４０】
例えば、給液ポイント８８１〜８８１０の表示欄には、顧客が来ていない状態のときは、待機中と表示される。また、給液ポイント８８３で顧客が、設定操作を完了してノズルスイッチ７４がオフになると、給液要求信号が管理コンピュータ２０に出力されるため、給液ポイント８８３の表示欄には、設定された液種（例えば、レギュラー）、給液量（リットル）、満タンモード等の情報が表示される。
【００４１】
また、管理画面８４の下側には、燃料供給機１６（１６１〜１６ｎ）を同時に停止させるための緊急停止釦９０と、入力データを取消すためのキャンセル釦９２と、監視カメラ３２１〜３２ｎをオン・オフするカメラ釦９４と、異常が発生した任意の燃料供給機１６を停止させる停止釦９６と、給液要求信号が入力された場合に操作される許可釦９８とが表示される。このように、許可釦９８は、給液ポイント８８１〜８８１０と独立して表示されており、燃料供給機１６の設置台数が４台以上に増えた場合でも所定の大きさで表示されており、操作性が確保されている。
【００４２】
タッチパネルディスプレイ２０ａは、タッチパネル方式であるため、係員が指先で任意の場所に接触することにより、例えば、給液ポイント８８１〜８８１０の何れかを指定することができ、緊急停止釦９０、キャンセル釦９２、カメラ釦９４、停止釦９６、許可釦９８をオン操作することができる。
【００４３】
また、管理画面８４では、一の燃料供給機１６３から給液要求信号が入力されると、対応する給液ポイント８８３が例えば、ハイライト表示（選択状態を示す緑色の明るい表示：図４中梨地模様で示す）されて係員に報知する。これにより、係員は、一目で許可待ちの顧客がいることを認識でき、且つ監視カメラ３２１〜３２ｎのうち対応する給液ポイントの画像が監視モニタ３６に拡大表示される。
【００４４】
このように、許可待ちの給液ポイント８８が一つの場合には、自動的に対応する給液ポイントの画像が監視モニタ３６に拡大表示されるため、係員は、監視モニタ３６により当該給液ポイントで異常がないことを確認して許可釦９８をオン操作するだけで良い。そのため、許可待ちの給液ポイント８８が一つの場合には、給液ポイント８８１〜８８１０の何れかを指定する操作が不要であるので、その分許可信号を出力させるまでの時間が短縮され、顧客の待ち時間を短くして給液効率を高めることが可能になる。
【００４５】
ここで、上記管理画面８４の動きと共に、給液許可を出力するまでの操作手順について説明する。
【００４６】
図５乃至図８は複数の顧客が順番に操作開始した場合の管理画面８４の表示例及び監視モニタ３６の表示を示す図である。尚、図５乃至図８においては、図面のスペースが限られているので、管理画面８４と監視モニタ３６の表示とが重なるように示してあるが、実際には別々に表示される。
【００４７】
図５に示されるように、管理画面８４では、給液ポイント８８１に対応する燃料供給機１６から給液要求信号が入力されて許可待ち状態であることがハイライト表示（輝度が強くなり、且つ緑色で表示：図５中梨地模様で示す）されている。この場合、許可待ち状態の給液ポイント８８は、１番の給液エリアのみであるので、監視モニタ３６には監視カメラ３２１により撮像された給液ポイント８８１の画像が自動的に拡大表示される。
【００４８】
続いて、図６に示されるように、給液ポイント８８に対する許可信号を出力する前に、給液ポイント８８２に対応する燃料供給機１６から給液要求信号が入力されて許可待ち状態であることがハイライト表示（図６中梨地模様で示す）される。このとき、監視モニタ３６には、図５と同様に、監視カメラ３２１により撮像された給液ポイント８８１の画像が拡大表示されたままである。
【００４９】
係員は、監視モニタ３６に拡大表示された給液ポイント８８１の状態に異常がないことを確認して許可釦９８をオンに操作する。これにより、給液ポイント８８１の給液ポンプ７０が起動されて給液可能になる。
【００５０】
これにより、図７に示されるように、給液ポイント８８１の表示が給液中に切り替わり（表示色も緑から黄色に切り替わる）、監視モニタ３６には監視カメラ３２１により撮像された２番目の給液ポイント８８２の画像が自動的に拡大表示される。従って、給液ポイント８８１の表示欄には、設定された液種（例えば、レギュラー）、給液量（リットル）、満タンモード等の情報が表示される。
【００５１】
係員は、監視モニタ３６に拡大表示された給液ポイント８８２の状態に異常がないことを確認して許可釦９８をオンに操作する。これにより、給液ポイント８８２の給液ポンプ７０が起動されて給液可能になる。
【００５２】
これにより、図８に示されるように、給液ポイント８８２の表示が給液中に切り替わり（表示色も緑から黄色に切り替わる）、監視モニタ３６には監視カメラ３２１〜３２ｎにより撮像された給液ポイント８８１〜８８１０の画像が分割表示される。また、給液ポイント８８２の表示欄には、設定された液種（例えば、レギュラー）、給液量（リットル）、満タンモード等の情報が表示される。
【００５３】
このように、係員は、給液ポイント８８１〜８８１０の何れかから給液要求信号が出力されると、管理画面８４の対応する給液ポイントをハイライト表示（図８中梨地模様で示す）すると共に、当該給液ポイントを監視モニタ３６に拡大表示して容易に確認できると共に、許可釦９８をオンに操作するだけで当該給液ポイントに対して給液許可を出力することができるので、顧客の待ち時間を短縮することが可能になる。
【００５４】
ここで、上記表示例と異なるパターンの表示例について管理画面８４の動きと共に、給液許可を出力するまでの操作手順について説明する。
【００５５】
図９乃至図１１は複数の顧客が同時に操作開始した場合の管理画面８４の表示例及び監視モニタ３６の表示を示す図である。尚、図９乃至図１１においては、図面のスペースが限られているので、管理画面８４と監視モニタ３６の表示とが重なるように示してあるが、実際には別々に表示される。
【００５６】
図９に示されるように、管理画面８４では、２箇所の給液ポイント８８１，８８２から給液許可信号が入力されて許可待ち状態であることが表示されている。この場合、許可待ち状態の給液ポイント８８１，８８２は、同時に許可待ち状態になったため、監視モニタ３６には番号の小さい監視カメラ３２１により撮像された給液ポイント８８１の画像が自動的に拡大表示される。
【００５７】
しかしながら、係員は、監視モニタ３６に拡大表示された給液ポイント８８１で何らかの異常があるため、許可釦９８をオンに操作しなかった。
【００５８】
続いて、図１０に示されるように、係員は、指先で給液ポイント８８１に接触すると、監視モニタ３６には、監視カメラ３２２により撮像された給液ポイント８８２の画像が拡大表示されたままである。
【００５９】
係員は、監視モニタ３６に拡大表示された給液ポイント８８２の状態に異常がない場合、許可釦９８をオンに操作する。これにより、給液ポイント８８２の給液ポンプ７０が起動されて給液可能になる。
【００６０】
これにより、図１１に示されるように、給液ポイント８８２の表示が給液中に切り替わり（表示色も緑から黄色に切り替わる）、監視モニタ３６には監視カメラ３２１により撮像された１番目の給液ポイント８８１の画像が自動的に拡大表示される。従って、２番目の給液ポイント８８２の表示欄には、設定された液種（例えば、レギュラー）、給液量（リットル）、満タンモード等の情報が表示される。
【００６１】
続いて、係員は、監視モニタ３６に拡大表示された１番目の給液ポイント８８１の状態に異常がないことを確認して許可釦９８をオンに操作する。これにより、給液ポイント８８１の給液ポンプ７０が起動されて給液可能になる。
【００６２】
これにより、前述した図８に示されるように、給液ポイント８８１の表示が給液中に切り替わり（表示色も緑から黄色に切り替わる）、監視モニタ３６には監視カメラ３２１〜３２ｎにより撮像された給液ポイント８８１〜８８１０の画像が分割表示される。また、給液ポイント８８２の表示欄には、設定された液種（例えば、レギュラー）、給液量（リットル）、満タンモード等の情報が表示される。
【００６３】
このように、係員は、給液ポイント８８１〜８８１０の何れかから給液要求信号が出力されると、監視モニタ３６に表示された画像をチェックし、何らかの異常があった場合には、他の給液ポイントの画像に切り替えて準備のできている別の給液ポイントへの許可出力を先に行うことで、給液所全体の給液効率が高められる。
【００６４】
ここで、燃料供給機１６の制御回路６６が実行する制御処理、管理コンピュータ２０が実行する制御処理について説明する。
【００６５】
図１２は燃料供給機１６の制御回路６６が実行する制御処理のフローチャートである。尚、燃料供給機１６の制御回路６６は、予め設定された所定時間ごとに図１２に示す処理を繰り返す。
図１２に示されるように、燃料供給機１６の制御回路６６は、ステップＳ１１（以下「ステップ」を省略する）において、設定器２６のタッチパネル４９による設定操作により、液種（例えば、レギュラー）、満タンモードまたはプリセットモード等の供給情報が入力されかどうかをチェックする。
【００６６】
Ｓ１１において、設定器２６のタッチパネル４９から供給情報が入力されると、Ｓ１２に進み、設定された供給情報を管理コンピュータ２０へ送信する。
【００６７】
次のＳ１３では、操作者が給液ノズル６０をノズル掛け６２から外したかどうかをチェックする。このＳ１３において、ノズル掛け６２に設けられたノズルスイッチ７４がオフに切り替わると、給液ノズル６０がノズル掛け６２から外されたものと判断してＳ１４に進む。
【００６８】
Ｓ１４では、管理コンピュータ２０に対してノズル外れ信号、すなわち、給液要求信号を出力する。続いて、Ｓ１５では、管理コンピュータ２０から許可信号が入力されたかどうかをチェックする。
【００６９】
Ｓ１５において、管理コンピュータ２０から給液許可信号が入力された場合には、Ｓ１６に進み、給液ポンプ７０のモータを起動させる。この後、操作者は、給液ノズル６０を車両の燃料タンクに挿入した状態で給液ノズル６０のノズルレバー（図示せず）を開弁位置に操作して給液を開始する。Ｓ１７では、流量計７２から出力された流量パルスを積算して供給された流量を積算して供給量を演算する。そして、供給量に基づいて実給液量（流量積算値）、給液金額、給液された液種の単価をタッチパネル４９に表示する。
【００７０】
次のＳ１８では、操作者が給液ノズル６０をノズル掛け６２に戻したかどうかをチェックする。このＳ１８において、ノズル掛け６２に設けられたノズルスイッチ７４がオンに切り替わると、給液ノズル６０がノズル掛け６２に戻されたものと判断してＳ１９に進む。
【００７１】
Ｓ１９では、ノズルスイッチ７４がオンに切り替わることにより、供給終了信号を管理コンピュータ２０に出力すると共に、入金金額、及び給液終了後の実給液データ（供給量、給液金額、液種単価等の情報）を管理コンピュータ２０に出力する。同時に、今回の給液が終了したものと判断してポンプ駆動信号の出力を停止させる。これにより、給液ポンプ７０は、停止状態になり、給液ノズル６０への送液を停止させる。これで、燃料供給機１６における一連の給液制御処理が終了する。
【００７２】
このように、燃料供給機１６は、給液ポンプ７０のオン・オフを制御すると共に、管理コンピュータ２０に対して給液に関する情報を送信する。そのため、管理コンピュータ２０は、複数の燃料供給機１６が待機状態、許可待ち、給液状態、精算状態の何れかの状態であることを常時管理している。
【００７３】
図１３は管理コンピュータ２０が実行する制御処理のフローチャートである。尚、管理コンピュータ２０は、予め設定された所定時間ごとに図１３に示す処理を繰り返す。
図１３に示されるように、管理コンピュータ２０は、Ｓ２１で、各燃料供給機１６から供給情報が入力されたかどうかをチェックする。上記Ｓ２１において、供給情報が入力されない場合には、Ｓ２２に進み、ノズルスイッチ７４がオフになってノズル外れ信号（給液要求信号）が入力されたかどうかをチェックする。
【００７４】
また、Ｓ２２において、ノズル外れ信号（給液要求信号）が入力されないときは、Ｓ２３に進み、許可信号が入力されたかどうかをチェックする。Ｓ２３において、許可信号が入力されないときは、Ｓ２４に進み、任意の燃料供給機１６が指定されたかどうかをチェックする。
【００７５】
Ｓ２４において、任意の燃料供給機１６が指定されないときは、Ｓ２５に進み、供給終了信号（ノズルスイッチ７４がオン）が入力されたかどうかをチェックする。上記Ｓ２５において、供給終了信号（ノズルスイッチ７４がオン）が入力されていないときは、Ｓ２１に戻る。このように、燃料供給機１６から管理コンピュータ２０に対して何ら入力がないときは、上記Ｓ２１〜Ｓ２５の処理を繰り返す。
【００７６】
上記Ｓ２１において、一の燃料供給機１６から供給情報が入力された場合には、Ｓ２６に進み、供給情報を出力した燃料供給機１６に対応させて供給待ち情報を更新して記憶装置２２に記憶させると共に、管理画面８４に表示する。
【００７７】
また、上記Ｓ２２において、ノズルスイッチ７４がオフになってノズル外れ信号（給液要求信号）が入力されたときは、Ｓ２７に進み、ノズル外れ信号（ノズルスイッチ７４がオフ）を出力した燃料供給機１６が供給待ちの燃料供給機１６かどうかをチェックする。Ｓ２７において、供給待ち以外の燃料供給機１６からノズル外れ信号（給液要求信号）が入力された場合には、Ｓ２３に移行する。
【００７８】
また、Ｓ２７において、供給待ちの燃料供給機１６からノズル外れ信号（給液要求信号）が入力された場合には、Ｓ２８に進み、ノズル外れ信号を出力した燃料供給機１６に対応させて許可待ち情報を更新して記憶装置２２に記憶させると共に、管理画面８４に表示する。
【００７９】
次のＳ２９では、今回ノズル外れ信号（給液要求信号）を出力した燃料供給機１６以外で許可待ち状態のものがあるかどうかをチェックする。Ｓ２９において、今回ノズル外れ信号（給液要求信号）を出力した燃料供給機１６以外で許可待ち状態のものがないときは、Ｓ３０に進み、管理画面８４に表示された給液ポイント８８１〜８８１０のうち今回ノズル外れ信号（給液要求信号）を出力した燃料供給機１６の給液ポイントをハイライト表示する（図５、図９中梨地模様で示す）参照）とともに、当該燃料供給機１６の周囲の映像を監視モニタ３６に拡大表示すべく、カメラ分割ユニット３４に表示指示信号を出力する。これにより、監視モニタ３６には供給待ちで、かつ、ハイライト表示された燃料供給機１６の周囲の画像が画面一杯に拡大表示される。
【００８０】
そして、次のＳ３１に進み、アラーム（ブザー音）を発して燃料供給機１６が許可待ち状態であることを報知する。
【００８１】
また、上記Ｓ２９において、今回ノズル外れ信号（給液要求信号）を出力した燃料供給機１６以外で許可待ち状態のものがあるときは、複数の燃料供給機１６が許可待ち状態であるので、Ｓ３１に進み、アラーム（ブザー音）を発して報知する。
【００８２】
また、上記Ｓ２３において、許可釦９８がオンに操作されて許可信号が入力されたときは、Ｓ３２に進み、許可待ち状態の燃料供給機１６が有るかどうかをチェックする。Ｓ３２において、許可待ち状態の燃料供給機１６がないときは、Ｓ２４に移行する。
【００８３】
また、Ｓ３２において、許可待ち状態の燃料供給機１６があるときは、Ｓ３３に進み、ハイライト表示（図６中梨地模様で示す）されている給液ポイントに対応する燃料供給機１６に対して許可信号を出力する。次のＳ３４では、許可信号を出力した燃料供給機１６に対応させて供給中情報を更新して記憶装置２２に記憶させると共に、管理画面８４に表示する。
【００８４】
次のＳ３５では、許可待ちの燃料供給機１６があるかどうかをチェックする。Ｓ３５において、許可待ちの燃料供給機１６があるときは、Ｓ３６に進み、許可待ちの複数の燃料供給機１６のうち１台を指定された燃料供給機としてハイライト表示する（図７中梨地模様で示す）。そして、次のＳ３７において、アラーム（ブザー音）を発して報知する。
【００８５】
なお、このとき、管理コンピュータ２０はこの新たにハイライト表示した燃料供給機１６周囲の映像を監視モニタ３６に拡大表示すべく、カメラ分割ユニット３４に表示指示信号を出力する。これにより、今まで拡大表示していた燃料供給機に代えて、今回、ハイライト表示された燃料供給機１６の周囲の画像が画面一杯に拡大表示される。
【００８６】
また、Ｓ３５において、許可待ちの燃料供給機１６がないときは、Ｓ３８に進み、アラーム（ブザー音）を停止させる。なお、このとき、管理コンピュータ２０は許可待ちの燃料供給機１６がないので、カメラ分割ユニット３４への表示指示信号を停止する。
【００８７】
これにより、カメラ分割ユニット３４は、監視カメラ３２により撮像された複数の画像を同時に分割表示させる。従って、作業者はブザーの鳴動のほか、監視モニタ３６に表示されている映像が分割表示であるのか、一の燃料供給機１６が表示されているのかを判断することによっても、許可待ちの燃料供給機１６の存在の有無を把握することができる。
【００８８】
また、上記Ｓ２４において、任意の燃料供給機１６が指定されたときは、Ｓ３９に進み、Ｓ２４で指定された燃料供給機１６が許可待ちかどうかをチェックする。Ｓ３９において、指定された燃料供給機１６が許可待ちでないときは、指定間違いなので、Ｓ２５に移行する。また、Ｓ３９において、指定された燃料供給機１６が許可待ちであるときは、Ｓ４０に進み、ハイライト表示されていた許可待ちの燃料供給機１６に対応する給液ポイントのハイライト表示を停止する。
【００８９】
続いて、Ｓ４１に進み、指定された燃料供給機１６に対応する給液ポイントのハイライト表示させる（図１０中梨地模様で示す）とともに、当該燃料供給機１６の周囲の映像を監視モニタ３６に拡大表示すべく、カメラ分割ユニット３４に表示指示信号を出力する。これにより、監視モニタ３６には供給待ちで、かつ、ハイライト表示された燃料供給機１６の周囲の画像が画面一杯に拡大表示される。
【００９０】
また、上記Ｓ２５において、供給終了信号（ノズルスイッチ７４がオン）が入力されたときは、Ｓ４２に進み、供給終了信号を出力した燃料供給機１６に対応する給液ポイントの待機中情報を更新して記憶装置２２に記憶させると共に、管理画面８４に表示する。
【００９１】
尚、上記実施の形態では、管理コンピュータ２０のディスプレイ２０ａ及び設定器２６がタッチパネル方式の液晶モニタを一例として挙げたが、これに限らず、例えば、タッチパネル方式のＣＲＴディスプレイを用いても良いのは勿論である。
【００９２】
また、上記実施の形態では、ノズル掛け６２に設けられたノズルスイッチ７４がオフになると、当該燃料供給機１６から管理コンピュータ２０に対して
また、上記実施の形態では、地上設置型の計量機に取り付けられた構成を一例として挙げたが、これに限らず、懸垂式の給液装置にも適用できるのは勿論である。
【００９３】
また、上記実施の形態では、ガソリンや軽油等の油液を車両の燃料タンクに給液する場合を一例として挙げたが、これに限らず、油液以外の燃料（例えば、燃料電池車で消費される水素、あるいはＬＰＧ車やＣＮＧ車などで燃料として消費されるガス等）を供給するシステムにも適用できるのは勿論である。
【００９４】
また、上記実施の形態では、ＰＯＳ無しでの商品管理を行っているが、ＰＯＳでの給液システムで実施することも可能である。
【００９５】
【発明の効果】
上述の如く、上記請求項１記載の発明によれば、燃料供給機制御手段が、許可待ちの燃料供給機のうち一の燃料供給機のみを選択状態とし、当該一の燃料供給機が選択状態であることを、タッチパネルディスプレイに表示されている当該一の燃料供給機に対応させて表示させる選択表示制御手段と、許可釦が操作された場合には、選択表示制御手段により選択された燃料供給機に対して許可信号を出力する許可信号出力手段と、を有するため、複数の燃料供給機から給液要求信号が出力されている場合でも一の燃料供給機の表示のみが許可信号を受け取ることが可能になり、燃料供給機を１台ずつ安全確認してから許可信号を出力することができ、且つ１台の燃料供給機から給液要求信号が出力されている場合には、当該燃料供給機が選択されているので、許可釦を操作するだけで当該燃料供給機に対して許可信号を出力することができ、許可待ち時間を短縮して給液作業を速やかに行える。
【００９６】
上記請求項２記載の発明によれば、選択表示制御手段が、タッチパネルディスプレイに表示された許可待ち状態である複数の燃料供給機のうち、一の燃料供給機の表示個所が操作されたことを検出した場合には、当該操作された燃料供給機のみを選択状態とするため、手動操作によって任意の燃料供給機を指定することが可能になり、安全確認できた燃料供給機から順番に一台ずつ、許可信号を出力することで、安全性を確保すると共に、許可待ち時間を短縮して給液作業を速やかに行うことができる。
【００９７】
上記請求項３記載の発明によれば、複数の燃料供給機のそれぞれの周囲の状況を撮影するためのカメラと、タッチパネルディスプレイ近傍に設けられ、カメラにより撮影された映像を表示するための監視モニタと、複数の燃料供給機のうち、選択状態となっている燃料供給機のみの周囲の状況を監視モニタに表示させる監視モニタ表示制御手段と、を設けたため、複数の燃料供給機のうち選択状態である燃料供給機のみが監視モニタに表示されるので、従来のように選択状態である燃料供給機と監視モニタに表示された燃料供給機の周囲の状態との一致性を判断することなく、安全確認を容易に行うことができる。
【図面の簡単な説明】
【図１】本発明になる燃料供給システムの一実施例の構成図である。
【図２】燃料供給機１６の正面図である。
【図３】燃料供給機１６の各機器の構成を示すブロック図である。
【図４】タッチパネルディスプレイ２０ａに表示される画面の一例を示す図である。
【図５】複数の顧客が順番に操作開始した場合の管理画面８４の表示例及び監視モニタ３６の表示を示す図である。
【図６】図５の次の状態を示す管理画面８４の表示例及び監視モニタ３６の表示を示す図である。
【図７】図６の次の状態を示す管理画面８４の表示例及び監視モニタ３６の表示を示す図である。
【図８】図７の次の状態を示す管理画面８４の表示例及び監視モニタ３６の表示を示す図である。
【図９】複数の顧客が同時に操作開始した場合の管理画面８４の表示例及び監視モニタ３６の表示を示す図である。
【図１０】図９に示す次の状態を示す管理画面８４の表示例及び監視モニタ３６の表示を示す図である。
【図１１】図１０に示す次の状態を示す管理画面８４の表示例及び監視モニタ３６の表示を示す図である。
【図１２】燃料供給機１６の制御回路６６が実行する制御処理のフローチャートである。
【図１３】管理コンピュータ２０が実行する制御処理のフローチャートである。
【符号の説明】
１０  給液システム
１４  釣り銭機
１６（１６１〜１６ｎ）  燃料供給機
２０  管理コンピュータ
２０ａ
２２  記憶装置
２４  計量機
２６  設定器
２８  自動支払機
３０  通信回線
３２１〜３２ｎ  監視カメラ
３４  カメラ分割ユニット
３６  監視モニタ
３８  操作部
４９  タッチパネル
５０  人検知センサ
５２  紙幣挿入部
５４  カード挿入部
５６  レシート発行部
６２  ノズル掛け
６０  給液ノズル
６６  制御回路
７０  給液ポンプ
７２  流量計
７８  カードＲ／Ｗ
８０  メモリ
８４  管理画面
８６１〜８６４  計量機マーク
８８１〜８８８  給液ポイント
９０  緊急停止釦
９２  キャンセル釦
９４  カメラ釦
９６  停止釦
９８  許可釦
【図１】
2004269018.tif 000003
【図２】
2004269018.tif 000004
【図３】
2004269018.tif 000005
【図４】
2004269018.tif 000006
【図５】
2004269018.tif 000007
【図６】
2004269018.tif 000008
【図７】
2004269018.tif 000009
【図８】
2004269018.tif 000010
【図９】
2004269018.tif 000011
【図１０】
2004269018.tif 000012
【図１１】
2004269018.tif 000013
【図１２】
2004269018.tif 000014
【図１３】
2004269018.tif 000015